(57)【要約】      （修正有）【課題】美観に優れ、持ち運び性に優れ、多品種少量生産に適し、様々な用途に使用可能な立体的なオーナメントを提供する。【解決手段】立体オーナメント１は、平板状のオーナメント本体２と、オーナメント本体に形成された複数の嵌合凹部４ａ〜４ｋと、オーナメント本体に形成された複数の嵌合孔部１３ａ〜１３ｋと、複数の嵌合孔部と複数の嵌合凹部に着脱可能な複数の起立部３ａ〜３ｋと、を備える。【選択図】図１
0003201981.tif 000002
【実用新案登録請求の範囲】
【請求項１】
平板状のオーナメント本体と、
前記オーナメント本体に形成された少なくとも一つの嵌合凹部と、
前記オーナメント本体に形成された少なくとも一つの嵌合孔部と、
前記少なくとも一つの嵌合孔部に着脱可能、且つ、前記少なくとも一つの嵌合凹部に着脱可能な少なくとも一つの起立部と、
を備えることを特徴する立体オーナメント。
【請求項２】
前記少なくとも一つの起立部は、前記少なくとも一つの嵌合凹部に嵌合可能であることを特徴とする請求項１記載の立体オーナメント。
【請求項３】
前記少なくとも一つの起立部は、前記少なくとも一つの嵌合孔部に嵌合可能であることを特徴とする請求項１又は２記載の立体オーナメント。
【請求項４】
前記少なくとも一つの起立部は、切残し部を介して前記少なくとも一つの嵌合孔部に保持されていることを特徴とする請求項１から３のいずれか一項に記載の立体オーナメント。
【請求項５】
前記少なくとも一つの起立部は、前記少なくとも一つの嵌合凹部に嵌合可能な凸部を備えることを特徴とする請求項１から４のいずれか一項に記載の立体オーナメント。
【請求項６】
前記オーナメント本体と、前記少なくとも一つの嵌合孔部と、前記少なくとも一つの起立部とが、それぞれ所望の輪郭及び／又は表示を有することを特徴とする請求項１から５のいずれか一項に記載の立体オーナメント。
【考案の詳細な説明】
【技術分野】
【０００１】
この考案は、立体オーナメントに関する。
【背景技術】
【０００２】
従来、種々のキャラクターまたはロゴマークのデザインを表示または型取った形状の起立部を備える特許文献１に記載されるような定規が知られている。
【０００３】
上記のような起立部を備える定規は、一般的な定規が有する平面の形状に、起立部により視覚的アクセントが加わることにより、視覚的に際立つのみならず、起立部を把持することで定規を容易に持ち運んだり、複数の起立部の間に物体を立て掛けたりといった従来の定規には無い機能を備えている。
【先行技術文献】
【特許文献】
【０００４】
【特許文献１】実用新案登録第３１８９３８０号公報
【考案の概要】
【考案が解決しようとする課題】
【０００５】
しかしながら、上記のような起立部を備える構成は、定規に限られていた。
【０００６】
上記のような起立部を備える構成を、定規に限らずオーナメントに応用することで、従来にはなかった新たな用途を備えるオーナメントを提供することを目的とする。
【課題を解決するための手段】
【０００７】
本考案に係る立体オーナメントは、平板状のオーナメント本体と、オーナメント本体に形成された少なくとも一つの嵌合凹部と、オーナメント本体に形成された少なくとも一つの嵌合孔部と、少なくとも一つの嵌合孔部に着脱可能、且つ、少なくとも一つの嵌合凹部に着脱可能な少なくとも一つの起立部と、を備えることを特徴する。
【０００８】
また、上記少なくとも一つの起立部は、上記少なくとも一つの嵌合凹部に嵌合可能であってもよい。
【０００９】
また、上記少なくとも一つの起立部は、上記少なくとも一つの嵌合孔部に嵌合可能であってもよい。
【００１０】
また、上記少なくとも一つの起立部は、切残し部を介して上記少なくとも一つの嵌合孔部に保持されていてもよい。
【００１１】
また、上記少なくとも一つの起立部は、上記少なくとも一つの嵌合凹部に嵌合可能な凸部を備えていてもよい。
【００１２】
また、上記オーナメント本体と、上記少なくとも一つの嵌合孔部と、上記少なくとも一つの起立部とが、それぞれ所望の輪郭及び／又は表示を有していてもよい。
【考案の効果】
【００１３】
本考案に係る立体オーナメントによれば、美観に優れ、持ち運び性に優れ、多品種少量生産に適し、様々な用途に使用可能な立体的なオーナメントを提供することができる。
【図面の簡単な説明】
【００１４】
【図１】本考案の第１の実施形態に係る立体オーナメントの平面図である。
【図２】本考案の第１の実施形態に係る立体オーナメントの斜視図である。
【考案を実施するための形態】
【００１５】
以下、図面を参照し、本考案の第１の実施形態を説明する。
図１に示す本考案の第１の実施形態に係る立体オーナメント１は、野球場のグラウンドを模したオーナメント本体２、野球選手を模した起立部３ａ、３ｂ、３ｃ、３ｄ、３ｅ、３ｆ、３ｇ、３ｈ、３ｉ、３ｊ、及び、スコアボードを模した起立部３ｋ、起立部３ａ〜３ｊ及び起立部３ｋが嵌合する嵌合凹部４ａ、４ｂ、４ｃ、４ｄ、４ｅ、４ｆ、４ｇ、４ｈ、４ｉ、４ｊ、及び嵌合凹部４ｋ、嵌合凹部４ａ〜４ｊ及び嵌合凹部４ｋに嵌合可能で起立部３ａ〜３ｊ及び起立部３ｋに設けられた凸部５ａ、５ｂ、５ｃ、５ｄ、５ｅ、５ｆ、５ｇ、５ｈ、５ｉ、５ｊ、及び凸部５ｋを備えている。
【００１６】
嵌合凹部４ａ〜４ｊ及び嵌合凹部４ｋは、オーナメント本体２に設けられた長方形の貫通孔である。このような嵌合凹部４ａ〜４ｊ及び嵌合凹部４ｋに、起立部３ａ〜３ｊ及び起立部３ｋの凸部５ａ〜５ｊ及び凸部５ｋが嵌合することにより、起立部３ａ〜３ｊ及び起立部３ｋが起立した状態で、嵌合凹部４ａ〜４ｊ及び嵌合凹部４ｋに保持される。
【００１７】
ここで、嵌合凹部４ａ〜４ｊ及び嵌合凹部４ｋは、野球場のグラウンドを模したオーナメント本体２において、捕手の位置に嵌合凹部４ａが、打者の位置に嵌合凹部４ｂが、三塁手の位置に嵌合凹部４ｃが、遊撃手の位置に嵌合凹部４ｄが、左翼手の位置に嵌合凹部４ｅが、中堅手の位置に嵌合凹部４ｆが、右翼手の位置に嵌合凹部４ｇが、二塁手の位置に嵌合凹部４ｈが、一塁手の位置に嵌合凹部４ｉが、投手の位置に嵌合凹部４ｊが、スコアボードの位置に嵌合凹部４ｋが設けられている。
【００１８】
従って、起立部３ａ〜３ｊ及び起立部３ｋが、上記のような嵌合凹部４ａ〜４ｊ及び嵌合凹部４ｋの位置に起立した状態で保持されることにより、野球場のグラウンドを模したオーナメント本体２に、野球選手が野球を行っている場面が立体的に再現される（図２参照）。
【００１９】
ここで、嵌合凹部４ａ〜４ｊ及び嵌合凹部４ｋの形状は、長方形に限られず、楕円でもよい。また、長方形の嵌合凹部４ａ〜４ｊ及び嵌合凹部４ｋの四隅が面取りされていてもよい。さらに、嵌合凹部４ａ〜４ｊ及び嵌合凹部４ｋは、貫通孔に限られず、オーナメント本体２を貫通しない凹溝であってもよい。
また、凸部５ａ〜５ｊ及び凸部５ｋの形状は、嵌合凹部４ａ〜４ｊ及び嵌合凹部４ｋに嵌合できるような、断面が長方形の形状、断面が楕円状の形状、断面が長方形で四隅が面取りされた形状でもよい。また、凸部５ａ〜５ｊ及び凸部５ｋの先端は、平坦でも、円形でも、楔形状でもよい、
即ち、起立部３ａ〜３ｊ及び起立部３ｋの凸部５ａ〜５ｊ及び凸部５ｋが、嵌合凹部４ａ〜４ｊ及び嵌合凹部４ｋに嵌合し、起立部３ａ〜３ｊ及び起立部３ｋを起立した状態で保持できる限り、嵌合凹部４ａ〜４ｊ及び嵌合凹部４ｋの形状と、凸部５ａ〜５ｊ及び凸部５ｋの断面形状と先端形状は特に限定されない。しかしながら、購入者が素手で扱う本製品の特性上、安全の観点から、鋭利な個所を残さず面取りを適宜用いて、購入者の手に触れる箇所を、できるだけ滑らかに形成することが好ましい。
【００２０】
ここで、本考案の第１の実施形態に係る立体オーナメント１は、購入時点においては、起立部３ａ〜３ｊ及び起立部３ｋが、起立部３ａ〜３ｊ及び起立部３ｋの輪郭に対応して形成されている嵌合孔部１３ａ、１３ｂ、１３ｃ、１３ｄ、１３ｅ、１３ｆ、１３ｇ、１３ｈ、１３ｉ、１３ｊ、及び嵌合孔部１３ｋに嵌合された状態で、オーナメント本体２と一体となっている。
そのため、購入者は、オーナメント本体２から、起立部３ａ〜３ｊ及び起立部３ｋのうち、所望の起立部をオーナメント本体２から切り離し、切り離した起立部の凸部を、所望の嵌合凹部に嵌合させることで、所望の起立部を所望の嵌合凹部の位置に起立させた状態で保持することができる。
図２の例では、起立部３ｊが嵌合凹部４ａの位置に、起立部３ａが嵌合凹部４ｂの位置に、起立部３ｂが嵌合凹部４ｊの位置に、起立部３ｄが嵌合凹部４ｄの位置に、起立部３ｋが嵌合凹部４ｋの位置において、それぞれ起立した状態で保持されている。
【００２１】
ここで、起立部３ａ〜３ｊ及び起立部３ｋの嵌合孔部１３ａ〜１３ｊ及び嵌合孔部１３ｋへの嵌合は、起立部３ａ〜３ｊ及び起立部３ｋが、嵌合孔部１３ａ〜１３ｊ及び嵌合孔部１３ｋから完全に切り離された状態（フルカットされた状態）で、起立部３ａ〜３ｊ及び起立部３ｋが、嵌合孔部１３ａ〜１３ｊ及び嵌合孔部１３ｋに嵌合されることにより実現している。
または、起立部３ａ〜３ｊ及び起立部３ｋが、嵌合孔部１３ａ〜１３ｊ及び嵌合孔部１３ｋから完全に切り離されることなく、起立部３ａ〜３ｊ及び起立部３ｋを嵌合孔部１３ａ〜１３ｊ及び嵌合孔部１３ｋに保持する不図示の切残し部が設けられていてもよい。切残し部が設けられている場合、購入者は、切残し部を切断して、起立部３ａ〜３ｊ及び起立部３ｋを嵌合孔部１３ａ〜１３ｊ及び嵌合孔部１３ｋから切り離すことになる。
【００２２】
上記のように、起立部３ａ〜３ｊ及び起立部３ｋが嵌合孔部１３ａ〜１３ｊ及び嵌合孔部１３ｋに嵌合された状態で、オーナメント本体２と一体となっているため、購入した状態では、立体オーナメント１は平板状となっており、設置スペースを要せずコンパクトであるし互いに積み重ねることもできる。
また、購入後に、購入者が所望の起立部を所望の嵌合凹部の位置に起立した状態で保持した場合であっても、例えば、立体オーナメント１を荷物と共に移動する場合には、起立状態に保持された起立部を嵌合凹部から取り外し、それぞれの起立部に対応する嵌合孔部に嵌合することで、立体オーナメント１を再び購入前の平板状とすることができる。そのため、持ち運び性に優れている。
なお、購入時に切残し部を用いて起立部が嵌合凹部に保持されている場合であっても、所望の起立部を所望の嵌合凹部の位置に起立した状態で保持した後、それぞれの起立部に対応する嵌合孔部に起立部を設置することで、再び立体オーナメント１を再び購入前の平板状とすることができる。
【００２３】
次に、本考案の第１の実施形態に係る立体オーナメント１の製造方法の一例について説明する。
【００２４】
立体オーナメント１は、アクリル樹脂のような透明性の高い比較的硬質な樹脂材料から形成されている。
不図示の１枚のアクリル樹脂板の裏面に、図１に示すような絵柄を既存の例えばインクジェットプリンターによって着色する。この際、無色透明なアクリル樹脂板の表面には、裏面に施された絵柄が現れる。その後、裏面の着色層の上をさらに白色で着色すると、裏面は白色一色となる一方、表面には図１に示すような絵柄が現れた状態が維持される。その後、絵柄に沿って、レーザーカットを行うことで、嵌合凹部４ａ〜４ｊ及び嵌合凹部４ｋを形成し、さらに起立部３ａ〜３ｊ及び起立部３ｋを嵌合孔部１３ａ〜１３ｊ及び嵌合孔部１３ｋからフルカットすることで、立体オーナメント１を製造することができる。
【００２５】
上記のように、既存の設備を用いて、簡単な工程で立体オーナメント１を製造することができるので、本考案に係る立体オーナメント１は、１個からでも製造することが可能となり、多品種少量生産を容易に行うことができる。
また、アクリル樹脂の裏面に塗装を施し、その上から白色で塗装するので、アクリル樹脂の表面には塗装による凹凸が生じることなく、表面が滑らかに保たれ且つ絵柄の現れる美観に優れた立体オーナメント１を製造することができる。また、裏面は白色で塗装されているため、絵柄の現れている表面と、白色の裏面で表裏の区別を容易に付けることができる。
【００２６】
なお、立体オーナメント１の材料は、アクリル樹脂に限定されず、ポリウレタンのようなより柔軟性のある材料であってもよい。
また、アクリル樹脂の裏面の塗装層の上に施す上塗りは白色に限らず所望の色で塗装をしてもよい。
絵柄の塗装は、インクジェットプリンターに限らず、レーザープリンターを始めとする公知の印刷手段を用いても、手塗でもよい。
【００２７】
上記のような本考案の第１の実施形態に係る立体オーナメント１は、例えば草野球チームや学校の野球部、プロ野球のチームを模すことによって、美観に優れ、持ち運び性に優れ、多品種少量生産に適した立体的なオーナメントを提供することができる。さらに、アクリル材料は、紙等に比べて劣化が緩やかなため、立体オーナメント１は耐久性に優れている。
起立部に選手の名前を表示すれば、よりオリジナリティーの溢れる立体オーナメント１を作ることができ、記念品として思い出を末永く立体オーナメント１に留めておくことができる。
【００２８】
本考案に係る立体オーナメントは、上記の第１の実施形態に係る立体オーナメント１に限定されず、オーナメント本体と起立部の型取りと表示を変えることによって、幅広い用途に用いることができる。
【００２９】
例えば、野球場を再現した立体オーナメント１に代わって、学校の教室を模した立体オーナメントであってもよい。この場合、起立部は、先生、生徒、黒板等を模すことによって、卒業記念品として用いることができる。
【００３０】
また、将棋盤を模した立体オーナメントであってもよい。この場合、起立部が将棋の駒を模すことによって、将棋を立体的に楽しむことができる。なお、将棋の駒の形状は、通常の将棋の駒の形状でもよいし、武士や、騎馬武者、鉄砲隊を模したり、王将やその他の駒に歴史上の人物を模したりすることによって、テーマ性を持ったユニークで立体的な将棋盤を提供することができる。
【００３１】
また、サッカー場を模した立体オーナメントであってもよい。この場合、起立部は、サッカー選手と審判であってもよいし、ゴールをさらに起立部で模してもよい。野球よりも世界的に競技人口の多いサッカーをテーマとすることで、多種多様な文化の人々にも受け入れられる記念品を提供することができる。
【００３２】
なお、スポーツをテーマとする立体オーナメントは、野球やサッカーに限らず、バレーボールでも、バスケットボールでも、陸上競技でも、ゴルフでも、弓道でも、相撲でも、フィギュアスケートでも、あらゆるスポーツの一場面を再現できるため、スポーツ施設の土産店や、アマチュアチームや学校の部活動の記念品として幅広く使用することができる。
【００３３】
また、動物園や地図を模した立体オーナメントであってもよい。動物園を模した立体オーナメントの場合、起立部は動物や、遊具、檻であってもよい。また、地図を模した立体オーナメントの場合、起立部は、人物や、城等の建物、山や川や特産物であってもよい。このように動物園や地図を模した立体オーナメントとすることで、動物園の記念品や地図の付録或いは地域の土産物として用いることができる。
【００３４】
また、アイドルグループのメンバーを模した起立部であってもよい。昨今のアイドルグループはメンバーの人数が多数となる傾向があるため、複数の起立部を容易に形成することができる本考案に係る立体オーナメントによれば、多人数のメンバーを要する昨今のアイドルグループを模した記念品であっても容易に提供することができる。
【００３５】
その他にも、起立部を例えば徳川家康から徳川慶喜までの徳川１５代将軍とすることにより、歴史の授業の副教材として使用することができる。
【００３６】
また、起立部を内閣総理大臣から外務大臣、内閣官房長官等の内閣の顔ぶれとすることにより、社会科の授業の副教材とすることができる。
【００３７】
また、オフィスで使用する離席表に利用することもできる。例えば、起立部に課員の似顔絵や写真と名前を表示し、離席や休暇を取る際に起立部を嵌合孔部に嵌合させ、着席する際に起立部を嵌合凹部に嵌合する等のルールを課員で決めた立体オーナメントを課で保有することにより、誰が席にいて、誰が離席中或いは休暇中なのかが一目瞭然で分かり、オフィスにおける人員把握を円滑に行うことができる。
【００３８】
また、本考案に係る立体オーナメントを純粋に子供の玩具として活用してもよい。例えば、起立部を種々の乗り物に模すことにより、乗り物好きの子供にはかけがえのない宝物となる。乗り物には、自動車、飛行機、電車、船、戦車、宇宙船などを混合して表示してもよいし、自動車のみであって、例えばスポーツカーや特殊車両等の特定の種類の自動車に絞って表示してテーマ性を持たせてもよい。これは自動車に限らず、起立部を飛行機のみに模し、旅客機に絞って表示させたり、戦闘機に絞って表示させたりしてテーマ性を持たせてもよい。
【００３９】
以上、本考案に係る立体オーナメントによれば、美観に優れ、持ち運び性に優れ、多品種少量生産に適し、複数の起立部に複数の人物等を模すことにより、様々な用途に使用可能な耐久性に優れる立体的なオーナメントを提供可能である。
【符号の説明】
【００４０】
１  立体オーナメント
２  オーナメント本体
３ａ、３ｂ、３ｃ、３ｄ、３ｅ、３ｆ、３ｇ、３ｈ、３ｉ、３ｊ、３ｋ  起立部
４ａ、４ｂ、４ｃ、４ｄ、４ｅ、４ｆ、４ｇ、４ｈ、４ｉ、４ｊ、４ｋ  嵌合凹部
５ａ、５ｂ、５ｃ、５ｄ、５ｅ、５ｆ、５ｇ、５ｈ、５ｉ、５ｊ、５ｋ  凸部
１３ａ、１３ｂ、１３ｃ、１３ｄ、１３ｅ、１３ｆ、１３ｇ、１３ｈ、１３ｉ、１３ｊ、１３ｋ  嵌合孔部
【図１】
0003201981.tif 000003
【図２】
0003201981.tif 000004